(57)【要約】【課題】どのような容器にも立てることができる線香立てを提供する。【解決手段】線香立ては、灰皿の縁部に引っかける取付部と、線香を保持するための保持部とを備えており、取付部で灰皿に取り付けるとともに、保持部に線香の下端を差し込んで植立して起立状態で保持し、焚いた時に生じた灰は灰皿に落下するようになっている。【選択図】　　　　図２
0003097699.tif 000002
【実用新案登録請求の範囲】
【請求項１】
灰皿の縁に取り付けるための取付部と、線香を保持するための保持部とを備えていることを特徴とする線香立て。
【請求項２】
前記保持部が貫通したテーパー孔で形成されている請求項１に記載の線香立て。
【請求項３】
前記保持部が複数の囲み部材で形成されている請求項１に記載の線香立て。
【請求項４】
前記取付部がフック状である請求項１乃至３の何れかに記載の線香立て。
【請求項５】
灰皿の縁に取り付けるための取付部と線香を保持するための保持部とを備えた線香立て、及び線香の灰を受け入れる灰皿からなる焼香セット。
【請求項６】
線香立てを灰皿に取り付けた際に、保持部と灰皿との間に１ｍｍ以上の間隔を有する請求項５に記載の焼香セット。
【考案の詳細な説明】
【０００１】
【考案の属する技術分野】
本考案は、線香の灰を受け入れる灰皿の縁に取り付けて用いる線香立て、及びこの灰皿と線香立てとからなる焼香セットに関する。
【０００２】
【従来の技術】
一般に仏事用に使用されている焼香用具としては、椀状の器が用いられ、この中に灰や砂を入れて、線香を差し立てて植立して用いられている。しかし、灰等の中に差し込まれた部分の線香は燃え残るので、この焚き残りが無駄となるばかりでなく、時々これを選別して取り出さねばならないという煩わしさがある。
【０００３】
焚き残りを灰等と一緒に廃棄して、その都度新しい灰等に取り替えても良いが、新しい灰等を常備しておくことも大変である。
【０００４】
また、灰等に差し立てて植立した線香は倒れやすいので、周囲を汚したり、火災の危険性も少なくない。さらに使用する灰等が柔らかくて軽い場合には、線香を保持する力が弱いために倒れやすく、逆に灰等が硬い場合には、差し込むことが困難であるために差し込み時に折れたり、あるいは差し込んだ後に倒れやすい。
【０００５】
【考案が解決しようとする課題】
ところで、最近では香りを楽しんだり、精神的な安定感を得るために焼香することも多く、このような場合には、従来の椀状の仏具等ではなく、ファッション性の高いスマートなデザインが求められている。
【０００６】
本考案の線香立て及び焼香セットは、以上のような観点および問題点の解決をするために考案されたものであり、次の効果を有する。
【０００７】
灰や砂等を全く使用しないので、これらの準備が不要であり、いつでも簡単に焼香することができる。また、焼香中に線香が倒れる心配がなく、周囲を汚したり、火災の心配もない。さらに、使用後は、線香自身の灰が残るだけで焚き残りを生じないために、掃除や後片付けが簡単である。また、線香立て及び灰皿に、色々なデザインを施すことが可能であり、仏壇以外の場所でも違和感なく使用することができるものである。
【０００８】
【問題点を解決するための手段】
上記のような課題を解決するために、この考案の請求項１に係る線香立ては、灰皿の縁に取り付けるための取付部と、線香を保持するための保持部とを備え、前記保持部が貫通したテーパー孔で形成されていたり、複数の囲み部材で形成されており、また、前記取付部がフック状である手段を採用したものである。
また、請求項５に係る焼香セットは、灰皿の縁に取り付けるための取付部と線香を保持するための保持部とを備えた線香立て、及び線香の灰を受け入れる灰皿からなり、線香立てを灰皿に取り付けた際に、保持部と灰皿との間に１ｍｍ以上の間隔を有する手段を採用したものである。
【０００９】
【作用】
上記の手段を採用したことにより、灰皿等に線香立ての取付部を引っかけるだけで灰皿等に線香立てを取り付けることができ、あとは線香立ての保持部に線香の下端を差し込むだけで線香を立てることができる。
したがって、焼香の際には線香の灰を受け入れる灰皿とセットで用いるようになる。
【００１０】
以下、図面を参照しつつ、本考案の実施の形態について説明する。
図１（ａ）、（ｂ）には、本考案の焼香セットの一例を示していて、図１（ａ）は線香を植立した状態、図１（ｂ）は線香を植立しない状態を示している。線香立て１０は、灰皿２０の縁に引っかけた状態で取り付けられており、線香３０の灰を灰皿２０に受け入れるようになっている。
【００１１】
図２（ａ）、（ｂ）および図２（ｃ）、（ｄ）には、本考案の線香立ての基本的な構成が示されていて、図２（ａ）、（ｂ）と図２（ｃ）、（ｄ）とは保持部７０の灰皿から離間させる手段が異なっている。
【００１２】
いずれの実施の形態にあっても線香立て１０は３つの部分、即ち基部５０、取付部６０及び保持部７０で構成されている。
したがって、線香立て１０は、取付部６０によって灰皿の内側に安定して装着することができる。
また、保持部７０により線香３０を確実に保持することができる。
【００１３】
基部５０は、取付部６０及び保持部７０を設けるための中心となる部分である。線香立て１０は、線香が振れたりしないで安定していることが重要であるが、基部５０の形状や重量によっても、確実な安定性を得ることができる。
【００１４】
基部５０に用いる材質は、各種金属、ガラス、又はセラミックス等、難燃性の材質が好ましい。
また、基部５０は、その形状によって種々のデザインを施すことができると共に、表面に図柄や文様を施すことも可能であり、装飾品としての価値を高めることができる。
【００１５】
本考案の線香立て１０は、焚き残りをなくすことを目的の一つとしている。
このため、線香立て１０を灰皿２０に取り付けた際に、線香立て１０の保持部７０は、灰皿２０の表面に接触しないで１ｍｍ以上の間隔を有することが好ましい。また、線香の熱が灰皿２０に伝達するのが防止される。
【００１６】
この間隔を形成する方法は種々あるが、例えば図２（ａ）、（ｂ）において、基部５０の裏面に凸部５１を設けることにより、形成することができる。
また、図２（ｃ）、（ｄ）に示すように、保持部７０の裏面を、基部５０の裏面よりも高くすることにより間隔を設けることができる。
【００１７】
取付部６０は、線香立て１０を灰皿２０の縁に取り付ける部分であり、線香立て１０が灰皿２０の内側に安定して装着できれば、どのような形態でも良い。
例えば、フック状や二股状として灰皿の縁に引っ掛けるようにしても良いし、クランプ状として灰皿の縁を挟むようにしても良い。
【００１８】
また、フック状とする場合に、基部５０の一端を折り曲げてフック状に形成しても良いし、別々に作った基部５０とフックとを接合して一体化しても良い。
あるいは、基部５０とフックとが紐や鎖等で連結された構成としても良い。
さらに、２個のフックからなる取付部６０とすることもできる。
したがって、これらのバリエーションによって、色々な形状的デザインを施すことができる。
【００１９】
保持部７０は、線香３０を保持する部分であり、用いる材質は、各種金属、ガラス又はセラミックス等、難燃性の材質が必要である。
保持部７０は、線香の取り付けが簡単であるとともに、線香の焚き残りを生じない構造となっている。これについて図３（ａ）〜（ｊ）により説明する。
【００２０】
図３（ａ）〜（ｆ）は、保持部７０に貫通した孔７１を形成し、孔７１に線香を差し込むようにした形態である。
基部５０が厚みを有する場合には、基部５０に貫通孔７１を形成して、保持部７０とすることもできる。
貫通した孔７１とすることにより、焚き残りをなくすことができる。
【００２１】
また、孔７１は線香の保持を確実にするために、テーパー孔とすることが好ましい。
孔７１の断面形状は、図３（ａ）、（ｂ）に示すような円形断面の他、図３（ｃ）、（ｄ）に示すように四角形断面等とすることもできる。
【００２２】
図３（ａ）、（ｂ）又は図３（ｃ）、（ｄ）に示す構造は、線香の種類によっては最後に微小の焚き残りを生じることもあるが、図３（ｅ）、（ｆ）に示すようにスリット７２を設けることにより、完全に焚き残りを防ぐことができる。
【００２３】
図３（ｇ）、（ｈ）、（ｉ）、（ｊ）は、線香を取り囲むように形成した複数の囲み部材７３によって、線香を保持する保持部７０を形成した形態である。
この形態も、図３（ｅ）、（ｆ）の場合と同様に、完全に焚き残りを防ぐことができる。
【００２４】
図３（ｇ）、（ｈ）は、棒状の囲み部材７３を４本設けた例である。
そして、囲み部材７３の断面形状は、円形断面の他、多角形断面等とすることもできる。
また、囲み部材の数は、３本以上必要であり、４本以上とすることが好ましい。
【００２５】
図３（ｉ）、（ｊ）は、断面が四角形の囲み部材７３を用いた例であり、四角柱の角部で線香と接触するようにした例である。
この例の応用として、基部５０が厚みを持っている場合に、基部５０の表面に十字の溝を形成することにより、同様の保持部７０を形成することができる。
【００２６】
保持部７０の構成としては、その他にも、例えば、金網又は多孔板を用いて筒状に形成したものや、針金をスプリング状に巻いて筒状としたもの等も使用することができる。
これらも同様に、焚き残りをなくすことができる。
【００２７】
線香立ての他の実施例を図４（ａ）〜（ｔ）に示す。
図４（ａ）〜（ｌ）は、何れも基部５０に貫通孔７１を設けて形成した保持部７０と、フック状の取付部６０を備えた例であり、図４（ｃ）、（ｄ）および図４（ｉ）、（ｊ）は２個の取付部６０を有する例である。
【００２８】
図４（ｍ）、（ｎ）は、棒状の囲み部材７３で形成した保持部７０と、フック状の取付部６０とを有する例である。
図４（ｏ）、（ｐ）は、二股状に形成した取付部６０と、これよりも高い位置に設けた保持部７０とを有する例である。このように構成すると灰皿２０の上方に線香を取り付けることができる。
【００２９】
図４（ｑ）、（ｒ）は、一枚の板を折り曲げて、基部５０と一体にフック状の取付部６０を形成した例である。
図４（ｓ）、（ｔ）は、二股状に形成した取付部６０と、厚みのある基部５０の表面に十字の溝８０を設けて形成した保持部７０とを有する例である。
【００３０】
また、前記貫通孔７１の方向や保持部７０の傾斜状態によって線香を直立状態から水平状態の任意の傾斜角度に保持することができるという事は勿論であり、この実用新案登録請求の範囲に入る限り種々な形態を採用することができる。
【００３１】
【考案の効果】
この考案は前記のように構成したことにより、灰や砂等を全く使用しないので、これらの準備が不要であり、いつでも簡単に焼香することができる。
また、焼香中に線香が倒れる心配がなく、飛び散る灰によって周囲を汚したり、火災の心配もない。
さらに、使用後は、線香自身の灰が残るだけで焚き残りを生じないために、掃除や後片付けが簡単である。
また、線香立て及び灰皿に、色々なデザインを施すことが可能であり、仏壇以外の場所でも違和感なく使用することができるという効果を有している。
【図面の簡単な説明】
【図１】本考案の焼香セットの一例を示し、
（ａ）は線香を植立した状態を示す概略図である。
（ｂ）は線香を植立しない状態を示す概略図である。
【図２】本考案の線香立ての基本的な構成を示し、
（ａ）は一例の概略側面図、
（ｂ）は（ａ）に示すものの概略正面図である。
（ｃ）は他の例の概略側面図、
（ｄ）は（ｃ）に示すものの概略正面図である。
【図３】保持部の種々な例を示し、
（ａ）は側面図、
（ｂ）は（ａ）に示すものの正面図である。
（ｃ）は側面図、
（ｄ）は（ｃ）に示すものの正面図である。
（ｅ）は側面部、
（ｆ）は（ｅ）に示すものの正面図である。
（ｇ）は側面図、
（ｈ）は（ｇ）に示すものの正面図である。
（ｉ）は側面図、
（ｊ）は（ｉ）に示すものの正面図である。
【図４】線香立ての種々な例を示し、
（ａ）は正面図、
（ｂ）は（ａ）に示すものの側面図である。
（ｃ）は正面図、
（ｄ）は（ｃ）に示すものの側面図である。
（ｅ）は正面図、
（ｆ）は（ｅ）に示すものの側面図である。
（ｇ）は正面図、
（ｈ）は（ｇ）に示すものの側面図である。
（ｉ）は正面図、
（ｊ）は（ｉ）に示すものの側面図である。
（ｋ）は正面図、
（ｌ）は（ｋ）に示すものの側面図である。
（ｍ）は正面図、
（ｎ）は（ｍ）に示すものの側面図である。
（ｏ）は正面図、
（ｐ）は（ｏ）に示すものの側面図である。
（ｑ）は正面図、
（ｒ）は（ｑ）に示すものの側面図である。
（ｓ）は正面図、
（ｔ）は（ｓ）に示すものの側面図である。
【符号の説明】
１０……線香立て
２０……灰皿
３０……線香
５０……基部
５１……凸部
６０……取付部
７０……保持部
７１……貫通孔
７２……スリット
７３……囲み部材
８０……溝
【図１】
0003097699.tif 000003
【図２】
0003097699.tif 000004
【図３】
0003097699.tif 000005
【図４】
0003097699.tif 000006